(57)【特許請求の範囲】
【請求項１】
人支持装置であって、
人を支えるように構成された人支持面と、
前記人支持面の少なくとも一部分に運動を伝達するよう構成されたアクチュエータと、
人支持装置上にある電子システムとを備え、
前記電子システムは、
プロセッサと、
メモリと、
前記プロセッサによる指示のとおりに情報を表示するように構成されたグラフィカルユーザーインターフェースと、
高速ネットワークインターフェースと、
リモートサーバーアプリケーションからのデータを、前記高速ネットワークインターフェースを介して受信し、前記グラフィカルユーザーインターフェースをリモートサーバーコンピュータのクライアントコンピュータとして動作させるよう構成された汎用オペレーティングシステムと、
前記人体支持面を移動させるよう前記アクチュエータを制御するための制御ソフトウェアを実行するよう構成されたコントローラとを有し、
前記コントローラは、前記プロセッサを介して前記グラフィカルユーザーインターフェースと通信する、
人支持装置。
【請求項２】
前記高速ネットワークインターフェースは、プロセッサデータを標準ネットワークフォーマットに変換するよう構成されたコンバータを備えた、請求項１に記載した装置。
【請求項３】
前記高速ネットワークインターフェースは、前記プロセッサ内に統合された、請求項１に記載した装置。
【請求項４】
前記コントローラは、コントローラエリアネットワーク（ＣＡＮ）モジュールを備えた、請求項１に記載した装置。
【請求項５】
前記プロセッサは、統合型のイーサネットインターフェース、統合型のＣＡＮインターフェース、統合型の画像処理装置、およびＵＳＢインターフェースのうち少なくとも２つを含む、請求項１に記載した装置。
【請求項６】
前記患者支持装置上に設けられ、前記電子システムと接続された少なくとも１つのＵＳＢポートをさらに備えた、請求項１に記載した装置。
【請求項７】
人支持装置であって、
人を支えるよう構成された上面と、
前記上面の少なくとも一部分に運動を伝達するよう構成された可動アクチュエータと、
前記人支持装置に接続され、前記可動アクチュエータを制御するよう構成された電子システムとを有し、前記電子システムは、プロセッサと、メモリと、前記プロセッサによる指示のとおりに情報を表示するように構成されたユーザーインターフェースと、配線接続を介して病院ネットワークに接続されるように構成されたネットワークコネクタと、少なくとも一部の時間において１Ｍｂ／秒よりも速いデータ転送速度でデータを受信するよう構成され、前記ネットワークコネクタを介した前記病院ネットワークとのデータ通信を可能とするよう構成されたネットワークインターフェースと、前記プロセッサによって実行可能であり、人支持装置用に設計されていない複数のコンピュータソフトウェアアプリケーションを修正なしに実行できるように構成された汎用オペレーティングシステムと、前記プロセッサによって実行可能であり、リモートサーバーに対しタスクを実行するよう要求を送信し、前記要求に応答してユーザーインターフェース上に表示される画面を定義するデータを受信し、画面の一部に使用者からの入力を受信し、およびその入力をリモートサーバーに送信することにより、電子システムがクライアントコンピュータとして機能するように構成されているブラウザソフトウェアと、使用者からの少なくとも１つの入力により可動アクチュエータを制御するように構成された制御ソフトウェアと、電子システムの少なくとも一部分からのネットワークコネクタの電気的絶縁を提供するように構成された電気的アイソレータと、前記制御ソフトウェアを実行するよう構成されたコントローラとを有し、前記コントローラは、前記プロセッサを介して前記ユーザーインターフェースと通信する、人支持装置。
【請求項８】
前記電気的アイソレータは、２．０ｍｍよりも大きい空間距離および沿面距離のうち少なくとも１つを有する、請求項７に記載した装置。
【請求項９】
前記電気的アイソレータは、光学的、誘導性、磁性、および容量性の結合のうち少なくとも１つにより絶縁を提供するよう構成されている、請求項７に記載した装置。
【請求項１０】
前記電気的アイソレータは、容量性結合により絶縁を提供するよう構成された、請求項９に記載した装置。
【請求項１１】
前記アイソレータは、デジタルアイソレータを含む、請求項７に記載した装置。
【請求項１２】
ネットワーク信号を、前記プロセッサの出力のプロトコルに対応した信号に変換するように構成されたコンバータ回路をさらに備える、請求項７に記載した装置。
【請求項１３】
前記電子システムは、前記ネットワークコネクタとの間で信号をやり取りするよう構成された磁気インターフェースを含む、請求項７に記載した装置。
【請求項１４】
前記アイソレータは、前記コンバータ回路と通信する、請求項１２に記載した装置。
【請求項１５】
前記電子システムは、前記患者支持が位置する前記部屋の識別情報を受信し、前記ネットワークコネクタを介して前記識別情報を送信するように構成された、請求項７に記載した装置。
【請求項１６】
前記電子システムは、位置識別信号が前記リモートサーバーに伝達され、前記リモートサーバーが前記電子システムからのデータを病院内の物理的な位置と関連付けしうるように構成された、請求項７に記載した装置。
【請求項１７】
前記表面はベッドデッキを含み、前記アクチュエータは電動アクチュエータを含み、および前記制御ソフトウェアは前記アクチュエータを介して前記ベッドデッキを動かすように構成された、請求項７に記載した装置。
【請求項１８】
前記表面はマットレスの上部分を含み、前記アクチュエータはポンプおよびブロワーのうち少なくとも１つを含み、前記制御ソフトウェアは前記マットレスの上部分内で空気を移動させるように構成された、請求項７に記載した装置。
【請求項１９】
前記ネットワークインターフェースは少なくとも１メガビット／秒のデータ転送速度を有する、請求項７に記載した装置。
【請求項２０】
前記プロセッサは、内蔵型のネットワーク通信回路を含む、請求項７に記載した装置。
【請求項２１】
前記ネットワーク通信回路はイーサネット通信回路を含む、請求項２０に記載した装置。
【請求項２２】
前記ブラウザソフトウェアは前記プロセッサにより実行される、請求項７に記載した装置。
【請求項２３】
前記コントローラは、コントローラエリアネットワーク（ＣＡＮ）モジュールを備える、請求項７に記載した装置。
【請求項２４】
前記プロセッサは、統合型のイーサネットインターフェース、統合型のＣＡＮインターフェース、統合型の画像処理装置、およびＵＳＢインターフェースのうち少なくとも２つを含む、請求項７に記載した装置。
【請求項２５】
前記患者支持装置上に設けられ、前記電子システムと接続された少なくとも１つのＵＳＢポートをさらに備える、請求項７に記載した装置。
【請求項２６】
人支持装置であって、
人を支えるように構成された人支持面と、
前記上面の少なくとも一部分に運動を伝達するよう構成された可動アクチュエータと、
前記人支持装置に接続され、かつ前記可動アクチュエータを制御するように構成された電子システムとを備え、前記システムは、
プロセッサと、
メモリと、
前記プロセッサによる指示のとおりに情報を表示するように構成されたユーザーインターフェースと、
１Ｍｂ／秒よりも速いデータ転送速度を受信し、また病院ネットワークとの無線でのデータ通信を可能にするよう構成された無線ネットワークインターフェースと、
前記プロセッサによって実行可能であり、ホームコンピュータソフトウェアアプリケーションを修正なしに実行するよう構成された、汎用オペレーティングシステムと、
前記プロセッサにより実行可能であり、かつタスクを実行する要求をリモートサーバーに送信し、前記要求に応答して前記ユーザーインターフェース上に表示される画面を定義するデータを受信し、前記画面の一部に使用者からの入力を受信し、前記入力を前記リモートサーバーに送信することにより、前記電子システムがクライアントコンピュータとして機能することを可能とするよう構成されたブラウザソフトウェアと、
使用者からの少なくとも１つの入力により前記可動アクチュエータを制御するように構成された制御ソフトウェアと、
前記制御ソフトウェアを実行するよう構成されたコントローラとを有し、
前記コントローラは、前記プロセッサを介して前記ユーザーインターフェースと通信する、
人支持装置。
【請求項２７】
前記表面はベッドデッキを含み、前記アクチュエータは電動アクチュエータを含み、および前記制御ソフトウェアは前記アクチュエータを介して前記ベッドデッキを動かすように構成された、請求項２６に記載した装置。
【請求項２８】
前記表面はマットレスの上部分を含み、前記アクチュエータはポンプおよびブロワーのうち少なくとも１つを含み、前記制御ソフトウェアは前記マットレスの上部分内で空気を移動させるように構成された、請求項２６に記載した装置。
【請求項２９】
前記ネットワークインターフェースは１０メガビット／秒よりも速いデータ転送速度を有する、請求項２６に記載した装置。
【請求項３０】
前記プロセッサは内蔵型のネットワーク通信回路を含む、請求項２６に記載した装置。
【請求項３１】
前記ネットワーク通信回路はイーサネット通信回路を含む、請求項２６に記載した装置。
【請求項３２】
前記ブラウザソフトウェアは前記プロセッサにより実行される、請求項２６に記載した装置。
【請求項３３】
前記コントローラはコントローラエリアネットワーク（ＣＡＮ）モジュールを含む、請求項２６に記載した装置。
【請求項３４】
前記プロセッサは、統合型のイーサネットインターフェース、統合型のＣＡＮインターフェース、統合型の画像処理装置、およびＵＳＢインターフェースのうち少なくとも２つを含む、請求項２６に記載した装置。
【請求項３５】
前記患者支持装置上に設けられ、前記電子システムと接続された少なくとも１つのＵＳＢポートをさらに備えた請求項２６に記載した装置。
【請求項３６】
人支持装置であって、
人を支えるように構成された表面と、
表面の少なくとも一部分に動きを伝達するよう構成されたアクチュエータと、
人支持装置にある電子制御システムとを備え、
前記システムは、
プロセッサと、
メモリと、
前記プロセッサにより制御されるグラフィカルユーザーインターフェースと、
高速ネットワークインターフェースと、
前記高速ネットワークインターフェースを介してデータをリモートコンピュータアプリケーションに供給し、クライアントコンピュータに対するサーバーコンピュータとして動作するように構成された、汎用オペレーティングシステムとを有し、
前記表面を移動させるよう前記アクチュエータを制御するための制御ソフトウェアを実行するよう構成されたコントローラとを有し、
前記コントローラは、前記プロセッサを介して前記グラフィカルユーザーインターフェースと通信する、
人支持装置。
【請求項３７】
前記ネットワークインターフェースは、前記人支持電子システム内に、プロセッサデータを標準ネットワークフォーマットに変換するよう構成された高速コンバータを備えた、請求項３６に記載した装置。
【請求項３８】
前記プロセッサは前記ネットワークインターフェースと統合された、請求項３６に記載した装置。
【請求項３９】
前記ネットワークインターフェースはイーサネットインターフェースを含む、請求項３６に記載した装置。
【請求項４０】
人支持装置であって、
人を支えるように構成された表面と、
前記表面の少なくとも一部分に動きを伝達するよう構成されたアクチュエータと、
人支持装置上にある電子システムとを備え、
前記システムは、
少なくとも約３００ＭＨｚの速度を有するプロセッサと、
少なくとも約１２８メガバイトのサイズを有する揮発性メモリと、
少なくとも約６４メガバイトのサイズを有する不揮発性メモリと、
前記プロセッサによる指示のとおりに情報を表示するように構成されたグラフィカルユーザーインターフェースと、
高速ネットワークインターフェースと、
複数の異なる装置上にインストールすることが可能で、リモートサーバーアプリケーションからのデータを、前記高速ネットワークインターフェースを介して受信するように構成された、汎用オペレーティングシステムと、
少なくとも一部の時間、少なくとも１メガビット／秒のデータ通信速度を有する、高速ネットワークインターフェースと、
前記表面を移動させるよう前記アクチュエータを制御するための制御ソフトウェアを実行するよう構成されたコントローラとを有し、
前記コントローラは、前記プロセッサを介して前記グラフィカルユーザーインターフェースと通信する、
人支持装置。
【請求項４１】
前記電子システムの少なくとも一部分をリモートネットワークから電気的に絶縁するよう構成された電気的アイソレータをさらに備えた、請求項４０に記載した人支持装置。
【請求項４２】
前記オペレーティングシステムは、前記人支持装置がデータ要求をリモートサーバーに送信し、前記データ要求に対する応答を受信できるように構成された、請求項４０に記載した人支持装置。
【請求項４３】
前記オペレーティングシステムは、前記人支持装置が計算リソースをリモートサーバーコンピュータと共有できるように構成された、請求項４０に記載した人支持装置。
【請求項４４】
前記表面は、互いに対して旋回する複数のデッキセクションを備えた、請求項４０に記載した人支持装置。
【請求項４５】
前記コントローラは、コントローラエリアネットワーク（ＣＡＮ）モジュールを備えた、請求項４０に記載した装置。
【請求項４６】
前記プロセッサは、リモートサーバーのクライアントとしてグラフィカルページを表示するブラウザソフトウェアを実行する、請求項４０に記載した装置。
【請求項４７】
前記プロセッサは、統合型のイーサネットインターフェース、統合型のＣＡＮインターフェース、統合型の画像処理装置、およびＵＳＢインターフェースのうち少なくとも２つを含む、請求項４０に記載した装置。
【請求項４８】
前記患者支持装置上に設けられ、前記電子システムと接続された少なくとも１つのＵＳＢポートをさらに備えた請求項４０に記載した装置。
【請求項４９】
人支持装置であって、
人を支えるように構成された表面と、
前記表面に動きを伝達するよう構成されたアクチュエータと、
人支持装置に接続された電子システムとを備え、
前記システムは、
プロセッサと、
メモリと、
前記プロセッサによる指示のとおりに情報を表示するように構成されたユーザーインターフェースと、
ネットワークインターフェースと、
前記電子システムがクライアントコンピュータとして機能するようにし、前記ネットワークインターフェースを介して、コンピュータネットワーク上のサーバーコンピュータの役目をする少なくとも１つのリモートコンピュータと計算リソースを共有するように構成された、オペレーティングシステムと、
前記表面を移動させるよう前記アクチュエータを制御するための制御ソフトウェアを実行するよう構成されたコントローラとを有し、
前記コントローラは、前記プロセッサを介して前記ユーザーインターフェースと通信する、
人支持装置。
【請求項５０】
前記表面はベッドデッキを含み、また前記電子システムはさらに前記デッキを前記フレームに対して動かすように構成された、請求項４９に記載した装置。
【請求項５１】
ネットワークコネクタ、および前記ネットワークコネクタをリモートサーバーから電気的に絶縁するよう構成された絶縁回路をさらに備えた、請求項４９に記載した装置。
【請求項５２】
前記コントローラはコントローラエリアネットワーク（ＣＡＮ）モジュールを備えた、請求項４９に記載した装置。
【請求項５３】
前記プロセッサは、統合型のイーサネットインターフェース、統合型のＣＡＮインターフェース、統合型の画像処理装置、およびＵＳＢインターフェースのうち少なくとも２つを含む、請求項４９に記載した装置。
【請求項５４】
前記患者支持装置上に設けられ、前記電子システムと接続された少なくとも１つのＵＳＢポートをさらに備えた請求項４９に記載した装置。
【請求項５５】
人支持装置であって、
人を支えるように構成された上面と、
前記上面の少なくとも一部分に運動を伝達するよう構成された可動アクチュエータと、
人支持装置に接続され、かつ前記可動アクチュエータを制御するように構成された電子システムとを備え、
前記システムは、
プロセッサと、
メモリと、
前記プロセッサによる指示のとおりに情報を表示するように構成されたユーザーインターフェースと、
ネットワークインターフェースと、
前記プロセッサにより実行可能であり、サーバーに対しタスクを実行する要求を生成し、前記タスクに関連する画面をユーザーインターフェース上に表示し、前記画面を見ている使用者から前記タスクに関連する入力を受信し、前記入力を前記サーバーに送信するすることにより、前記電子システムがクライアントコンピュータとして機能するように構成されたソフトウェアと、
前記上面を移動させるよう前記可動アクチュエータを制御するための制御ソフトウェアを実行するよう構成されたコントローラとを有し、
前記コントローラは、前記プロセッサを介して前記ユーザーインターフェースと通信する、
人支持装置。
【請求項５６】
前記アクチュエータは、液体ポンプおよび電動アクチュエータのうち少なくとも１つを含む、請求項５５に記載した装置。
【請求項５７】
前記表面は、ベッドデッキおよびマットレス袋のうち少なくとも１つを含む、請求項５５に記載した装置。
【請求項５８】
前記ソフトウェアは、オペレーティングシステムおよびブラウザのうち少なくとも１つを含む、請求項５５に記載した装置。
【請求項５９】
請求項５５に記載した装置であって、プロセッサ信号をネットワークフォーマットの信号に変換するように構成されたネットワークインターフェース、前記ネットワークフォーマットの信号を配信するよう構成されたネットワークコネクタ、および少なくとも前記ネットワークコネクタを前記アクチュエータから電気的に絶縁するように構成された絶縁回路をさらに備えた装置。
【請求項６０】
前記ネットワークインターフェースはプロセッサと統合される、請求項５９に記載した装置。
【請求項６１】
前記コントローラはコントローラエリアネットワーク（ＣＡＮ）モジュールを含む、請求項５５に記載した装置。
【請求項６２】
前記プロセッサは、統合型のイーサネットインターフェース、統合型のＣＡＮインターフェース、統合型の画像処理装置、およびＵＳＢインターフェースのうち少なくとも２つを含む、請求項５５に記載した装置。
【請求項６３】
前記患者支持装置上に設けられ、前記電子システムと接続された少なくとも１つのＵＳＢポートをさらに備えた請求項５９に記載した装置。
【請求項６４】
人支持装置であって、
人を支えるように構成された上面と、
前記上面の少なくとも一部分に運動を伝達するよう構成された可動アクチュエータと、
人支持装置に接続され、かつ前記可動アクチュエータを制御するように構成された電子システムとを備え、
前記システムは、
プロセッサと、
メモリと、
前記プロセッサによる指示のとおりに情報を表示するように構成されたユーザーインターフェースと、
ネットワークインターフェースと、
前記プロセッサにより実行可能であり、クライアントからタスクを実行する要求を受信し、前記タスクを実行し、前記タスクに関連する入力を遠隔で画面を見ているリモート使用者から受信することにより、前記電子システムがサーバーコンピュータとして機能するよう構成されたソフトウェアと、
前記上面を移動させるよう前記可動アクチュエータを制御するための制御ソフトウェアを実行するよう構成されたコントローラとを有し、
前記コントローラは、前記プロセッサを介して前記ユーザーインターフェースと通信する、
人支持装置。
【請求項６５】
前記クライアントは、携帯用コンピュータ、スマートフォン、ラップトップコンピュータ、およびｉＰＡＤコンピュータのうち少なくとも１つを含む、請求項６４に記載した装置。
【請求項６６】
前記アクチュエータは液体ポンプおよび電動アクチュエータのうち少なくとも１つを含む、請求項６４に記載した装置。
【請求項６７】
前記表面は、ベッドデッキおよびマットレス袋のうち少なくとも１つを含む、請求項６４に記載した装置。
【請求項６８】
前記ソフトウェアはオペレーティングシステムおよびブラウザのうち少なくとも１つを含む、請求項６４に記載した装置。
【請求項６９】
前記ネットワークインターフェースはネットワークコネクタを含み、前記装置は前記ネットワークコネクタを前記アクチュエータから電気的に絶縁するよう構成された絶縁回路をさらに備えた、請求項６４に記載した装置。
【請求項７０】
プロセッサ信号をネットワークフォーマットでの信号に変換するように構成されたネットワークインターフェース、前記ネットワークフォーマットの信号を配信するよう構成されたネットワークコネクタ、および少なくとも前記ネットワークコネクタを前記アクチュエータから電気的に絶縁するように構成された絶縁回路をさらに備えた、請求項６４に記載した装置。
【請求項７１】
前記ネットワークインターフェースは前記プロセッサと統合される、請求項７０に記載した装置。
【請求項７２】
前記電子システムがコントローラエリアネットワーク（ＣＡＮ）モジュールを備えた、請求項６４に記載した装置。
【請求項７３】
前記プロセッサは、統合型のイーサネットインターフェース、統合型のＣＡＮインターフェース、統合型の画像処理装置、およびＵＳＢインターフェースのうち少なくとも２つを含む、請求項６４に記載した装置。
【請求項７４】
前記患者支持装置上に設けられ、前記電子システムと接続された少なくとも１つのＵＳＢポートをさらに備えた請求項６４に記載した装置。
【請求項７５】
ネットワークサーバーとして動作するように構成された第一のコンピュータと、
アクチュエータ、人体支持面、コントローラ、グラフィカルユーザーインターフェースを有する人支持装置と、
前記人支持装置に連結され、ネットワークインターフェースを含む第二のコンピュータとを備え、前記第二のコンピュータは、ネットワーククライアントとして、前記第一のコンピュータと前記ネットワークインターフェースを介して通信するように構成され、
前記コントローラは、前記人体支持面を移動させるよう前記アクチュエータを制御するための制御ソフトウェアを実行するよう構成され、
前記コントローラは、前記第二のコンピュータを介して前記グラフィカルユーザーインターフェースと通信する、
医療コンピュータネットワーク。
【請求項７６】
フレームと、
前記フレームの少なくとも一部を移動させるためのアクチュエータと、
前記フレームに連結され、グラフィカルユーザーインターフェース、プロセッサおよびメモリ素子を含む制御システムであって、前記メモリ素子はオペレーティングシステムを格納し、前記プロセッサは前記オペレーティングシステムを実行するように構成された、制御システムと、
前記制御システムおよびネットワークと通信する通信インターフェースであって、前記制御システムは前記ネットワーク上でクライアントとして動作するよう構成された、通信インターフェースと、
前記フレームに連結され、前記フレームの少なくとも一部を移動させるよう前記アクチュエータを制御するための制御ソフトウェアを実行するよう構成されたコントローラとを有し、
前記コントローラは、前記プロセッサを介して前記グラフィカルユーザーインターフェースと通信する、
人支持装置。
【請求項７７】
人支持装置であって、
フレームと、
前記フレームの少なくとも一部を移動させるためのアクチュエータと、
前記フレームに連結され、グラフィカルユーザーインターフェース、プロセッサおよび通信デバイスを含む制御システムであって、前記通信デバイスは前記プロセッサとネットワークとの間のデータ通信を促進するよう構成され、前記通信デバイスは５６Ｋｂ/ｓよりも速い速度で通信するよう適応される、制御システムと、
前記フレームに連結され、前記フレームの少なくとも一部を移動させるよう前記アクチュエータを制御するための制御ソフトウェアを実行するよう構成されたコントローラとを有し、
前記コントローラは、前記プロセッサを介して前記グラフィカルユーザーインターフェースと通信する、
人支持装置。
【請求項７８】
人支持装置であって、
フレームと、
前記フレームの少なくとも一部を移動させるためのアクチュエータと、
前記フレームに連結され、グラフィカルユーザーインターフェース、プロセッサおよび通信デバイスを含む制御システムであって、前記通信デバイスは前記プロセッサとネットワークとの間のデータ通信を促進するよう構成され、前記通信デバイスは外部電源から絶縁された、制御システムと、
前記フレームに連結され、前記フレームの少なくとも一部を移動させるよう前記アクチュエータを制御するための制御ソフトウェアを実行するよう構成されたコントローラとを有し、
前記コントローラは、前記プロセッサを介して前記グラフィカルユーザーインターフェースと通信する、
人支持装置。
【請求項７９】
人支持装置であって、
人を支えるように構成された上面と、
前記上面の少なくとも一部分に運動を伝達するよう構成された可動アクチュエータと、
前記人支持装置に接続され、前記可動アクチュエータを制御するように構成された電子システムとを備え、
前記システムは、
プロセッサと、
メモリと、
前記プロセッサによる指示のとおりに情報を表示するように構成されたユーザーインターフェースと、
少なくとも一部の時間、１Ｍｂ／秒よりも速いデータ転送速度で、病院ネットワークとデータを通信するよう構成されたネットワークインターフェースと、
前記人支持装置用に設計されたものではない複数のコンピュータソフトウェアアプリケーションを修正なしに実行するよう構成された汎用オペレーティングシステムであって、前記プロセッサによって実行可能な汎用オペレーティングシステムと、
使用者からの少なくとも１つの入力により前記可動アクチュエータを制御するように構成された制御ソフトウェアと、
前記患者支持の位置を取得するよう構成された位置識別情報受信器と、
前記制御ソフトウェアを実行するよう構成されたコントローラとを有し、
前記電子システムはリモートコンピュータに位置を転送するように構成され、
前記コントローラは、前記プロセッサを介して前記ユーザーインターフェースと通信する、
人支持装置。
【請求項８０】
前記位置識別情報受信器は、前記位置識別情報を病院位置識別子の形式で提供する壁ユニットに配線により接続されたインターフェースを備えた、請求項７９に記載した装置。
【請求項８１】
前記位置識別情報受信器は無線の受信器を備えた、請求項７９に記載した装置。
【請求項８２】
前記位置識別情報受信器は全地球測位システム（ＧＰＳ）衛星受信器、無線周波数（ＲＦ）受信器、ＷｉＦｉ受信器、超音波受信器、および赤外線受信器のうち少なくとも１つを備えた、請求項８１に記載した装置。
【請求項８３】
前記位置識別情報受信器は、受信したデータをもとに位置を判断するよう構成されている、請求項７９に記載した装置。
【請求項８４】
前記位置は前記リモートコンピュータに前記ネットワークインターフェースを介して転送され、前記リモートコンピュータは前記位置をもとに前記電子システムからのデータを特定の患者の電子医療記録に挿入するように構成された、請求項７９に記載した装置。
【発明の詳細な説明】
【技術分野】
【０００１】
＜関連する出願への相互参照＞
本出願は、３５ Ｕ．Ｓ．Ｃ． § １１９（ｅ）に基づき、２０１０年４月９日に出願された米国仮出願第６１/３２２，３９２号の利益を主張するものであり、その全文をここに参照することにより本明細書に援用する。
【０００２】
＜技術分野＞
本開示は、ベッド、マットレス、ストレッチャーおよびこれに類するものといった患者支持装置に関連する。さらに特定すれば、本開示は、患者支持、通信、および計算装置に関連する。
【背景技術】
【０００３】
病院用ベッドなどの患者支持装置は通常、患者に快適性を与え、また患者の配置および移動において介護者を支援するように適応させた機能を持つ。例えば、こうしたベッドには、患者の快適性のために患者をさまざまな姿勢に配置でき、また患者の介護において介護者を支援する連接セクションを含みうる。こうしたベッドには、ブレーキの状態、サイドレールの位置、およびベッドの高さなど、ベッドの各種の機能のステータスを表示する電子ディスプレイを含んでもよい。さらに、こうしたベッドは、離れた介護者との通信を許容しうる。
【発明の概要】
【発明が解決しようとする課題】
【０００４】
こうしたシステムは、介護者の支援および患者の安全性および快適性の向上において非常に有用なものでありうる一方、従来的なそれらの機能にはある点で制限がある。特に、こうしたシステムの機能および病院職員および病院管理者に提供する価値には、なおも改善の余地がある。こうして、この技術分野においては、さらなる貢献の必要性が存続している。
【課題を解決するための手段】
【０００５】
本開示による患者支持装置には、添付の請求項に引用した特徴および／または単独あるいは任意の組み合わせにより特許性のある主題を構成しうる下記の特徴のうち１つ以上の特徴が含まれている。
【０００６】
本開示によれば、人支持装置は、人を支えるように構成された上面、上面の少なくとも一部分に運動を伝達するよう構成された可動アクチュエータ、および人支持装置に接続され、かつ可動アクチュエータを制御するように構成された電子システムを備えうる。電子システムは、プロセッサ、メモリ、プロセッサによる指示のとおりに情報を表示するように構成されたユーザーインターフェース、配線接続を介して病院ネットワークに接続されるように構成されたネットワークコネクタ、およびネットワークインターフェースを備えうる。ネットワークインターフェースは、少なくとも一部の時間、１Ｍｂ／秒よりも速いデータ転送速度でデータを受信するように構成しうるとともに、ネットワークコネクタを介した病院ネットワークとのデータ通信を許容するように構成しうる。電子システムは、さらにプロセッサによって実行可能な汎用オペレーティングシステムを備えうるが、この汎用オペレーティングシステムは、修正することなく、人支持装置用に設計されていない複数のコンピュータ ソフトウェアアプリケーションを実行するように構成しうる。システムはまた、プロセッサにより実行可能で、かつリモートサーバーにタスクを実行する要求を送信し、その要求に応答してユーザーインターフェース上に表示される画面を定義するデータを受信し、画面の一部に使用者からの入力を受信し、およびその入力をリモートサーバーに送信することにより、電子システムがクライアントコンピュータの役目をするよう構成されたブラウザ ソフトウェアをも備えうる。
【０００７】
さらに、電子システムは、使用者からの少なくとも１つの入力により可動アクチュエータを制御するように構成された制御ソフトウェア、および電子システムの少なくとも一部分からのネットワークコネクタの電気的絶縁を提供するように構成された電気的アイソレータを備えうる。一部の実施態様において、電気的アイソレータは、少なくとも２．５ｍｍの沿面距離および少なくとも２．０ｍｍの空間距離、例えば、少なくとも４．０ｍｍの沿面距離および２．５ｍｍの空間距離などを提供しうる。一部の実施態様において、電子システムは、患者支持が位置する部屋の識別情報を受信し、ネットワークコネクタを介して、その識別情報を送信するように構成しうる。一部の実施態様において、電子システムは、そのリモートサーバーが電子システムからのデータを病院内の物理的な位置と関連付けできるように、位置識別信号がリモートサーバーに伝達されるように構成しうる。
【０００８】
本開示によれば、電子システムは、プロセッサ、メモリ、グラフィカルプロセッサによる指示のとおりに情報を表示するように構成されたユーザーインターフェース、および高速ネットワークインターフェースを備えうる。システムはさらに、リモートサーバーアプリケーションからのデータを、高速ネットワークインターフェースを介して受信し、グラフィカルユーザーインターフェースをリモートサーバーコンピュータのクライアントコンピュータとして動作させるように構成された汎用オペレーティングシステムを備えうる。電子システムは、表面を移動させるアクチュエータを制御するように構成しうる。一部の実施態様において、ネットワークインターフェースを絶縁するアイソレータが提供されているが、そのアイソレータは、少なくとも２．５ｍｍの沿面距離および少なくとも２．０ｍｍの空間距離、例えば、少なくとも４．０ｍｍの沿面距離および２．５ｍｍの空間距離を持ちうる。一部の実施態様において、ネットワークインターフェースは、少なくとも１メガビット／秒のデータ転送速度を持ちうる。
【０００９】
一部の実施態様において、電子システムは、少なくとも約３００ＭＨｚの速度を持つプロセッサ、少なくとも約１２８メガバイトのサイズを持つ揮発性メモリ、少なくとも約６４メガバイトのサイズを持つ不揮発性メモリ、プロセッサによる指示のとおりに情報を表示するように構成されたグラフィカルユーザーインターフェース、および高速ネットワークインターフェースを備えうる。電子システムは、さらに複数の異なる装置上にインストールすることができ、リモートサーバーアプリケーションからのデータを、高速ネットワークインターフェースを介して受信するように構成された汎用オペレーティングシステムを備えうる。高速ネットワークインターフェースは、少なくとも一部の時間、少なくとも１メガビット／秒のデータ通信速度を持ちうる。電子システムは、表面を移動させるアクチュエータを制御するように構成しうる。一部の実施態様において、オペレーティングシステムは、人支持装置が計算リソースをリモートサーバーコンピュータと共有できるように構成しうる。一部の実施態様において、プロセッサには、統合型のイーサネットインターフェース、統合型のＣＡＮインターフェース、統合型の画像処理装置、およびＵＳＢインターフェースのうち少なくとも２つが含まれうる。一部の実施態様において、装置は患者支持装置上にあり、電子システムと接続された少なくとも１つのＵＳＢポートを備えうる。
【００１０】
一部の実施態様において、電子システムは、プロセッサ、メモリ、プロセッサによる指示のとおりに情報を表示するように構成されたユーザーインターフェース、ネットワークインターフェース、プロセッサにより実行可能で、サーバーに対して、タスクを実行し、そのタスクに関連する画面をユーザーインターフェース上に表示し、その画面を見ている使用者からそのタスクに関連する入力を受信し、およびその入力をサーバーに送信する要求を生成することにより、電子システムがクライアントコンピュータの役目をするように構成されたソフトウェアを備えうる。
【００１１】
本開示によれば、医療コンピュータネットワークを提供することができるが、これはネットワークサーバーおよびネットワーククライアントのうち少なくとも１つを作動させるように構成された第一のコンピュータ、人支持装置、および人支持装置に連結され、ネットワークインターフェースを含む第二のコンピュータを備えうる。第二のコンピュータは、第一のコンピュータとネットワークインターフェースを介して通信し、ネットワーククライアントおよびネットワークサーバーのうち少なくとも１つとして作動するように構成しうる。
【００１２】
また、本開示によれば、医療コンピュータシステムは、人を支持するように構成された上面、上面の少なくとも一部分に運動を伝達するよう構成された可動アクチュエータ、および人支持装置に接続され、かつ可動アクチュエータを制御するように構成された電子システムを持つ人支持装置を備えうる。電子システムは、プロセッサ、メモリ、プロセッサによる指示のとおりに情報を表示するように構成されたユーザーインターフェース、ネットワークインターフェース、制御ソフトウェア、および汎用オペレーティングシステムを備えうる。ネットワークインターフェースは、少なくとも一部の時間、１Ｍｂ／秒よりも速いデータ転送速度でデータを病院ネットワークと通信するように構成しうる。汎用オペレーティングシステムは、プロセッサにより実行可能とすることができ、またこれは、修正することなく、人支持装置用に設計されていない複数のコンピュータソフトウェアアプリケーションを実行するように構成しうる。制御ソフトウェアは、使用者からの少なくとも１つの入力により可動アクチュエータを制御するように構成しうる。医療コンピュータシステムは、患者支持の位置を提供するように構成された位置識別回路を備えうる。一部の実施態様において、電子システムは、位置をリモートコンピュータに転送するように構成しうる。一部の実施態様において、位置と電子システムからのデータは、リモートコンピュータで関連付けうる。
【００１３】
これらおよびその他の特徴は、単独で、またはその他の特徴（本書で説明したものおよび／または請求項で記載したものなど）との組み合わせで、特許性のある主題を構成しうる。本開示のこうした特徴および原理は、現時点で理解されている実施形態を遂行する最良の態様を例証した下記のさまざまな実施例および実施態様の詳細な説明を考慮することによって、当業者にとって明らかとなるであろう。
【００１４】
以下、本発明につき特に添付の図面を参照して詳述する。
【図面の簡単な説明】
【００１５】
【図１】図１は、本開示の１つ以上の原理に従い構成した、患者支持装置の一実施態様の斜視図法での部分的概略図である。
【図２】図２は、デッキサポートが上の位置にあり、またそのデッキセクションが直線的な関係またはベッド構成にあることを示す図１の患者支持の側面図である。
【図３】図３は、デッキサポートが上の位置にあり、デッキの頭側セクションが頭側セクションアクチュエータにより上昇し、またデッキのシートセクションがシートセクションアクチュエータにより上昇していることを示す図１の患者支持の側面図である。
【図４】図４は、本開示の１つ以上の原理に従い構成された、患者支持用の電子システムの一実施態様のブロック図である。
【図５】図５は、本開示の１つ以上の原理に従い構成された、患者支持の電子システムの別の実施態様のブロック図である。
【図６】図６は、本開示の１つ以上の原理に従った患者支持の電子システムとリモートサーバーとの間の通信方法の流れ図である。
【図７】図７は、本開示の１つ以上の原理に従い構成されたサーバーおよびクライアントの患者支持装置を備えた病院ネットワークの一実施態様の概要図である。
【図８】図８は、本開示の１つ以上の原理に従い構成された患者支持の電子システムのまた別の実施態様のブロック図である。
【発明を実施するための形態】
【００１６】
例証的な一実施態様において、患者支持装置は、高速ネットワーク接続を介してリモートサーバーと接続された汎用オペレーティングシステム上で実行されるクライアントブラウザソフトウェアを備えた電子制御システムを含むものとして提供されている。ブラウザおよびオペレーティングシステムにより、患者支持装置が、患者支持装置電子システム専用には設計されていないプログラムにアクセスしそれを実行できる。汎用マイクロプロセッサをネットワークコンバータ回路構成と併用することで、患者支持は、意図された受取人アドレスを持つフレームでメッセージを配信できるようになる。マイクロプロセッサは、１つ以上のグラフィカルユーザーインターフェース、および患者支持装置のアクチュエータを制御する制御システムと通信する。制御システムは、例えばＣＡＮ（コントローラエリアネットワーク）、ＬＯＮ（ローカルオペレーティングネットワーク）、ＵＳＢ（ユニバーサルシリアルバス）、またはイーサネットのノードなどといったネットワークノードを備えうる。絶縁回路により、患者支持が連結された通信介護施設のネットワークから絶縁される。データやファイルのダウンロードまたはアップロード用に、個人用記憶装置用のコネクタが、患者支持のサイドレールまたはエンドボードなどに備えられている。これらの特徴の１つ以上を組み込んだその他の実施態様が可能である。
【００１７】
本発明の例証的な実施態様による患者支持１０を図１〜３に示す。患者支持１０には、フレーム１２、フレーム１２により支持されたマットレス１４、ヘッドボード１６、フットボード１８、１対の頭側端部サイドレール２０、および１対の足側端部サイドレール２２が含まれる。フレーム１２には、デッキサポート２４およびマットレス１４を支持するデッキ２６が含まれる。デッキサポート２４には、フロア２９上で複数のキャスターホイール３０により支持されるベースフレーム２８、中間フレーム３２、中間フレーム３２をベースフレーム２８に対して昇降するように構成された第一および第二の対のリフトアーム３４、および患者支持１０を高位置と低位置の間の任意の位置に昇降することができるように中間フレーム３２により支持された秤量フレーム３６が含まれる。
【００１８】
デッキ２６は、秤量フレーム３６により支持され、複数の位置の間で連接するように構成されている。さらに特定すれば、実例としてデッキ２６には、秤量フレーム３２に旋回できるかたちで連結されている頭側セクション３８、秤量フレーム３２に旋回できるかたちで連結されているシートセクション４０、およびシートセクション４０に旋回できるかたちで連結されている長さ調節可能な脚セクション４２が含まれる。デッキ２６は、図１および図２の第一の構成に図示し、一方デッキ２６は図３の第二の構成に図示している。図１および図２の第一の構成において、頭側セクション３８、シートセクション４０、および脚セクション４２は、実質的に直線状または平面的な関係にある。図３の第二の構成において、デッキ２６の頭側セクション３８は、頭側セクションアクチュエータ４３ａによって上昇しており、デッキ２６のシートセクション４０は、シートセクションアクチュエータ４３ｂによって上昇している。脚セクションアクチュエータ４３ｃは、脚セクション４２をシートセクション４０に対して移動させるように同様に構成されている。伸張アクチュエータ４４は、長さ調節可能な脚セクション４２を伸縮させるように構成されている。
【００１９】
例証的なデッキサポート２４およびデッキ２６については、米国特許第６，６５８，６８０号（２００３年１２月９日発行）および米国特許第６，６１１，９７９号（２００３年９月２日発行）にさらに詳しい記載があり、これらはいずれも、本発明の特許権者に譲渡されており、その開示内容を明示的に参照し本書に組込む。
【００２０】
頭側端部サイドレール２０は、デッキ２６の頭側セクション３８に連結され、上昇および下降位置の間でマットレス１４に対して移動できる。足側端部サイドレール２２は、秤量フレーム３２に連結され、上昇および下降位置の間でマットレス１４に対して移動できる。
【００２１】
図１の例証的な実施態様には、さらに主としてベッド１０のデッキ２６の下方に位置する電子システム１１０が含まれる。この実施態様の電子システム１１０は、ディスプレイ５０に表示したクライアントブラウザソフトウェアを制御する。ブラウザソフトウェアは、電子システムのハードウェアと共に、ベッド１０が、壁１１２の外側に示すリモートサーバー１１１に対するクライアントデバイスとして機能できるようにする。したがって、電子システムは、実行するタスクについての要求を、ネットワーク接続１１４およびネットワークコネクタ１１５（例えば、ジャック）を介してサーバー１１１に送信する。次にサーバーは、その要求に応答してアプリケーションを実行し、表示するデータおよび／または画像を電子システム１１０に返す。次にシステム１１０は、データおよび／または画像をサイドレール２０内またはその上に位置するユーザーインターフェース５０に表示されたクライアントブラウザアプリケーションに画面またはページとして表示する。サーバー１１１は、特にベッドまたは患者支持のために設計されたものではない病院情報システムアプリケーションおよび／または家庭用計算アプリケーションなど、さまざまな市販のソフトウェアアプリケーションを実行する。下記に詳細に説明するとおり、ベッド１０の電子システム１１０は、こうしたアプリケーションがベッド１０の使用者（介護者および／または患者）によって表示・制御できるように、ハードウェアおよびソフトウェアと共に構成されている。
【００２２】
また、ベッド１０の電子システム１１０は、ベッド制御ソフトウェアの制御も行うが、そのためのユーザーインターフェースを第二のディスプレイ５２に表示する。ベッド制御ソフトウェアにより、使用者は、ベッドのさまざまな部分を動かすことができる。例えば、図３に示すとおり、デッキ２６の足、腿、シート、および頭側セクションを、電動リニアアクチュエータ４３ａ、４３ｂ、および４３ｄを介してなど、ベースフレーム２８に対して移動させることができる。使用者は、ディスプレイ５２を介してベッド制御ソフトウェアに入力を供給して、ベッドアクチュエータを移動させたり、および／またはベッドが警報を発したり、および／または警報状態を表示する警報レベルを設定することができる。ディスプレイは、例えばタッチスクリーンとすることも、または関連するボタンを配して、制御ソフトウェアへの入力操作を可能とすることもできる。
【００２３】
電子システム１１０には、サーバー１１１および接続１１４およびコネクタ１１５を電子システムの残りの部分および関連するベッド構成要素から絶縁する絶縁回路が含まれる。こうした回路構成は、例えば、誘導性、容量性、磁性、および／または光学的な絶縁構成要素を使用して動作する。一例として、アイソレータは、イーサネット信号を絶縁するアイソレータ、またはコネクタ１１５で供給される信号からプロセッサ信号を絶縁するデジタルアイソレータを備えている。
【００２４】
図１にさらに示すとおり、サイドレール２０には、使用者が電子システム１１０に接続できるＵＳＢポート１２０が含まれる。例えば、使用者は、グラフィカルユーザーインターフェース５０上のブラウザにより制御されるユニバーサルシリアルバス（ＵＳＢ）ポート１２０を介して、データを保存できる。こうしたデータは、ベッド設定または患者に関連付けることができる。別の方法として、使用者は、例えば、制御ソフトウェアの更新、ユーザーアプリケーションの読み込み、ファイルの転送、または電子システム１１０のトラブルシューティングなど、ＵＳＢポート１２０を介してソフトウェアを電子システム１１０に読み込むことができる。別の例として、使用者は、希望するベッド１０の設定（頭部デッキの角度、ベッドの高さ、希望する療法）および／または部屋、食品、または施設に関する病院の他の環境設定を示すデータを、ＵＳＢポート１２０から電子システム１１０に読み込むことができる。ＵＳＢポートについて表示・説明したが、各種タイプのユーザー／プログラマ用データポート（シリアル、パラレル、ＦｉｒｅＷｉｒｅ、ＲＳ標準ポート、ＩＥＥＥ標準ポート、ＵＳＢなど）は、ベッド１０上、およびさまざまな位置（フレーム、デッキ、ヘッドボード、フットボードなど）に提供しうる。例えば、ポートは、別のサイドレール２２または１８上、またはフレーム２８または３２上、またはシステム１１０用の電子システム制御ボックス上としうる。
【００２５】
この実施例において、部屋識別情報送信機１２２は、壁１１２の中またはその上に設置され、ベッドのある部屋についての表示を提供する。これは、部屋の識別情報の信号をベッドに送信して、次にその信号がネットワークサーバー上に伝達されるか、またはベッドデータおよび部屋の識別情報の信号を同一の経路に沿って、ひとまとめにして、あるいはその他の方法で、サーバー１１１がベッドおよびベッドデータを該当する部屋と一致させることができる何らかの関連性と共に送信することにより達成できる。したがって、こうした関連性により、サーバー１１１は、ベッド１０または部屋に関連するデータをその部屋に割り当てられていることが分かっている患者と関連付けることができる。この実施例において、部屋識別子信号は、識別情報送信機１２２からケーブル１１４を経由して、コネクタ１１５を通過し、電子システム１１０に送信される。次に、システム１１０は、部屋識別子をサーバー１１１に戻るネットワーク信号と共にケーブル１１４を経由させて中継する。この様に、ベッドデータの患者との適切な関連性が形成され、またそれによって適切な警報が設定できるように、ベッド１０からネットワークサーバー１１１にどの部屋にそれがあるかが伝達される。例えば、どの部屋（または部屋の部分）にベッド１０があるか、またどの患者がその部屋（または部屋の部分）にいるべきかが分かれば、サーバーは、患者に落下のリスクがあるかどうかに基づき、一定のベッド警報レベルを設定できる。落下リスクの患者は、すべてのサイドレールを上げ、すべてのブレーキをかけ、ベッドの高さを低くし、患者の位置モニターをセットする必要があることがある。これらの条件のいずれかが満たされなくなると、サーバー１１１は、警報信号を生成し、ネットワーク接続１１４を経由してベッドに送り返し、ベッド１０および／またはナースステーションまたはネットワークに接続された音声ステーションにある警報を鳴らすことができる。別の実施例として、その部屋にいる患者に肺の合併症のリスクがあることが分かっている場合、サーバー１１１は、ディスプレイ５０上のブラウザを介してパーカッション、バイブレーション、またはローテーション セラピーの開始または要求をすることができる。
【００２６】
また、サーバー１１１は、娯楽、データ、情報、マルチメディア、音声、ビデオ、および通信サービスをクライアントディスプレイ５０に提供するさまざまなソフトウェアアプリケーションへのネットワークアクセスなど、ベッド１０の使用者のためにその他のサービスを提供できる。例えば、使用者は、ＭＰ３音楽ファイルなどの音声ファイル、ＭＰＥＧ動画ファイルなどのビデオファイル、患者ケア指示事項などの情報ファイル、電子メールなどのｅ-通信サービス、Ｖｏｉｃｅ Ｏｖｅｒ Ｉｎｔｅｒｎｅｔ通信などの音声通信、および／またはイントラネット、エクストラネット、ＬＡＮ、ＷＡＮ、またはその他のネットワークハードウェアにより提供される他のネットワークサービスにアクセスすることもできる。こうしたアクセスは、特定のサイトまたはサイトのタイプへの、または特定のファイル、ファイルサイズ、あるいはファイルタイプへのアクセスを制限するアクセス管理アプリケーション（例えば、フィルタリングプログラム）など、ソフトウェアによる制限がある場合がある。例えば、予め承認された許可されるネットワークまたはインターネットリンクのリストを、アクセス管理アプリケーションにより供給でき、また所定のアイコンまたはリンクを通じてのみアクセスを提供することができる。
【００２７】
先に述べたとおり、また図１に示すとおり、デッキサポート２４には、フロア２９上に複数のキャスターホイールまたはキャスター装置３０により支持されたベースフレーム２８、中間フレーム３２、中間フレーム３２をベースフレーム２８に対して昇降するように構成された第一および第二の対のリフトアーム３４、および中間フレーム３２により支持された秤量フレーム３６が含まれる。リニアアクチュエータ４８ａおよび４８ｂは、図３に示すとおり、リフトアーム３４を作動させる動力を供給し、それによって中間フレーム３２をベースフレーム２８に対して昇降させる。
【００２８】
サイドレール２０、２２には、グラフィカルユーザーインターフェース５２と併用して、またはその代替として、制御プログラムによって病院用ベッド１０の各種の機能を制御するための一連のボタンを含めることができる。デッキ２６には、中間フレーム３２に対して傾けることができる頭、背、座（シート）、および足の部分またはセクション、およびこれらのデッキセクションの角位置を調節するよう構成された複数の機構を含めることができる。この実施例において、デッキ２６の脚セクションは伸張可能で、腿セクションを座に対して旋回させながら上昇させることができる。さらに、デッキ２６の頭側セクションも、中間フレーム３２に対して傾けることができる。リフトアーム３４は、ベースフレーム２８に対してデッキ２６を昇降させる。
【００２９】
図４は、患者支持の各種機能を制御する電子制御システム１１０のブロック図であり、これは図１〜３の電子制御システム１１０用に使用しうる。制御システム１１０は、長さ調節可能な脚セクション４２を伸縮するリニアアクチュエータ４４、および中間フレーム３２をベースフレーム２８に対して移動させるリニアアクチュエータ４８を作動させ監視する。さらに、制御システム１１０は、それぞれ頭側セクション３８を秤量フレーム３６に対して、シートセクション４０を秤量フレーム３６に対して、および脚セクション４２をシートセクション４０に対して移動させるリニアアクチュエータ４３ａ、４３ｂおよび４３ｃの作動および監視もする。
【００３０】
制御システム１１０には、グラフィカルユーザーインターフェース５０、５２、およびベースフレーム２８に連結された足ペダルコントロール５６を含めた複数の入力装置が含まれる。また、制御システム１１０には、ベースフレーム２８に連結され、中間フレーム３２およびベースフレーム２８の間に起こりうる隙間の問題を検出する、光学またはスイッチベースの障害物検出システムなどの干渉検出デバイス５５が含まれる。さらに実例として、制御システム１１０には、複数のアクチュエータ４３ａ、４３ｂ、４３ｃ、４４、４８のそれぞれと共に提供された複数のアクチュエータ位置検出器またはモーターセンサー（非表示）が含まれる。複数のロードセル５９が、秤量フレーム３６と中間フレーム３２との間に提供され、中間フレーム３２により支持されている重量を示す信号を供給する。制御システム１１０では、これらの信号を使用してマットレス１４に位置している患者の体重が決定される。さらに、制御システム１１０には、サイドレール２０、２２の垂直位置を示す信号を提供するよう構成された複数のサイドレール位置検出器またはセンサー５７が含まれる。
【００３１】
この例証的な実施態様において、コントローラエリアネットワークシステム２２２０は、各種のアクチュエータおよび構成要素を制御する制御プログラム２２４を実行する。こうしたシステムには、各種のアクチュエータを制御する１つ以上のコントローラエリアネットワーク（ＣＡＮ）コントローラノードが含まれうる。複数のコントローラノードを利用する場合、ノードはシリアルバス接続を介して互いに通信できる。制御プログラムは、どちらのユーザー入力に応答してどちらのアクチュエータを作動させるか、どのセンサーをどの時点でユーザーインターフェース５０、５２に表示させるか、ロードセル５９からのデータをどのようにして患者体重に変換するか、およびどのセンサー入力（サイドレール上下、ブレーキの設定／解除、ベッド低／否、患者の位置）に応答して、スピーカー２０１および／またはユーザーインターフェース５０、５２を介してどの警報を鳴らすかなど、制御ソフトウェアまたはベッド用に望ましい制御ロジックを示すその他のロジックを備えることができる。制御プログラム２２４は、この実施例では、ベッドの電子システム（例えば、図１の実施例のベッドの電子システム１１０内）に格納できる。一実施態様において、電子システム２２２０は、２つの制御盤を備えており、そのうちの１つは、ユーザー入力装置からの入力を受信し、これは制御プログラム２２４を格納する、また他方は、ユーザー入力制御盤からの入力を受信し、その入力をアクチュエータによって使用できる対応する適切な信号に変換する。
【００３２】
マイクロプロセッサ２００は、ディスプレイ５０および５２の動作を制御し、またＣＡＮインターフェース回路２２０を介してベッド制御システム２２２０と通信をする。ＣＡＮインターフェース２２０により、マイクロプロセッサ２００はアクチュエータを動かすかまたは警報信号をセットする入力コマンドを制御システム２２２０に発することができる。同様に、インターフェース２２０により、ＣＡＮ制御システム２２２０はアクチュエータステータス情報およびその他の情報をマイクロプロセッサ２００に転送できるようになり、次に希望に応じてディスプレイ５０および５２にこれを表示できる。ＣＡＮインターフェース２２０は、マイクロプロセッサ２００と制御システム２２２０との通信を可能にする適切な回路または集積回路を備える。ＣＡＮインターフェース２２０は、例えば、高速ＣＡＮトランシーバを備えうる。
【００３３】
マイクロプロセッサ２００は、病院サーバー１１１と通信し、さらにシステム１１０がサーバー１１１に対してクライアントとして機能するよう構成されている。マイクロプロセッサ２００は、不揮発性メモリ２０４にアクセスし、そこにクライアントブラウザソフトウェアおよび汎用オペレーティングシステムを格納する。汎用オペレーティングシステムは、家庭用計算アプリケーション、および／またはその他の産業アプリケーション用など、患者支持装置とは関連のないさまざまなアプリケーション用に利用可能なオペレーティングシステムを備えうる。例えば、Ｗｉｎｄｏｗｓ ＣＥ（登録商標）オペレーティングシステムまたはＬｉｎｕｘオペレーティングシステムを利用しうる。こうしたオペレーティングシステムには、記憶装置、プリンター、スキャナー、またはその他の機器などさまざまな周辺設備を動作させるための複数のドライバが含まれうる。また、こうしたオペレーティングシステムは、患者支持装置用に設計されたものではないことも考えられるさまざまな標準的な既存のアプリケーションを読み込み実行する能力を持ちうる。クライアントブラウザは、Ｉｎｔｅｒｎｅｔ Ｅｘｐｌｏｒｅｒ（登録商標）、ＦｉｒｅＦｏｘ（登録商標）、または適切なその他のブラウザを備えうる。不揮発性メモリは、フラッシュメモリ、ハードドライブ、または適切なその他のメモリ素子を備えることができ、また少なくとも６４ＭＢのサイズとしうる。オペレーティングシステムおよびブラウザは、揮発性メモリ２０２０を利用しアクセスすることにより、プロセッサ２００により実行しうるが、これは少なくとも１２８ＭＢのサイズを持つＲＡＭメモリを備えうる。マイクロプロセッサは、ＦｒｅｅＳｃａｌｅ Ｓｅｍｉｃｏｎｄｕｃｔｏｒ， Ｉｎｃ．から入手可能な例えばｉ．ＭＸシリーズプロセッサなどのさまざまな汎用産業用プロセッサを備えることができ、また少なくとも約３００ＭＨｚの処理速度を持ちうる。こうしたプロセッサは、ＣＡＮ電子システムがベッド上で使用される場合、統合型のＣＡＮ通信機能およびインターフェースを持つことがある。ただし、プロセッサが統合型のＣＡＮ機能を持たない場合には、別個のＣＡＮインターフェースを利用することができる。
【００３４】
マイクロプロセッサ２００は、ディスプレイインターフェース２０９を介してグラフィカルユーザーインターフェース５０、５２と通信し、それを駆動する。こうしたインターフェース２０９は、ＬＶＤＳ（ｌｏｗ ｖｏｌｔａｇｅ ｄｉｆｆｅｒｅｎｔｉａｌ ｓｉｇｎａｌｉｎｇ）トランスミッタおよびｉ２ｃバッファ回路、および／またはディスプレイの駆動用のその他の適切なドライバまたはインターフェース回路を備えうる。
【００３５】
さらに、図４の実施例において、マイクロプロセッサ２００は、スピーカー２０１を通じて音声を許容するスピーカーアンプ（増幅器）２０５を駆動する。また、マイクロプロセッサ２００は、マイクロホン２１１からの音声入力を、マイクロホンアンプ２０３を介して受信する。したがって、警報、音楽、自然の音およびその他の音をマイクロプロセッサ２００によってスピーカー２０１および／またはユーザーインターフェース５０／５２を通じて駆動できる。さらに、音声入力は、マイクロホン２１１を介して記録し、プロセッサ２００を経由して格納することができる。
【００３６】
この実施例において、マイクロプロセッサ２００には、統合型のイーサネットインターフェースが含まれる。したがって、マイクロプロセッサ２００は、ネットワークへの通信用の出力データをイーサネット形式で自動的に供給しうる。この形式にはヘッダー、データセクション、およびフッターを持つフレームが含まれる。ヘッダーには、送信者および意図されるネットワーク受信者の両方のＭＡＣ（Ｍｅｄｉａ Ａｃｃｅｓｓ Ｃｏｎｔｒｏｌ）アドレスが含まれる。そのイーサネット通信回路を通して、マイクロプロセッサ２００はまず、その接続が転送可能であるかのチェックを実行する。衝突が検出された場合（ネットワーク上の別のデバイスが、同時にイーサネットフレームを送信）には、最大時間を上限とする無作為な時間だけ待機した後、プロセッサ２００はフレームを再転送する。この実施例では、プロセッサ２００は内蔵型イーサネット通信出力を持つが、この目的で別の回路またはカードを使用することもできる。
【００３７】
図４の実施例では、患者支持の電子システム１１０にＷｉＦｉインターフェース２０８が含まれることをさらに示している。このインターフェース２０８により、プロセッサ２００はＩＥＥＥ ８０２．１１プロトコルなどの無線ローカルエリアネットワーク通信プロトコルを介してサーバー１１１（および／またはその他の機器）と通信できる。無線接続は、スペクトラム拡散および／または周波数分割多重伝送方式を利用することができ、また少なくとも９００ＭＨｚ、例えば１ＧＨｚ以上の周波数で作動することができる。例えば、無線接続は約２．４ＧＨｚとしうる。
【００３８】
図４の実施例に示すとおり、プロセッサ２００および電子システム１１０の数多くの他の構成要素は、サーバー１１１からアイソレータ２１０によって電気的に絶縁されている。アイソレータ２１０は、誘導性、容量性、および／または光学的な絶縁回路を介して電気的絶縁を提供しうる。アイソレータ２１０は、少なくとも４．６ｍｍの沿面距離、２．５ｍｍの空間距離、および１５００ボルトの絶縁破壊電圧を提供する。（空間距離とは、２つの導電性素子の間の空気の最短距離である。沿面距離とは、２つの導電性素子の間の絶縁材質の表面上の最短距離である。）別の実施態様において、アイソレータ２１０の絶縁能力により、少なくとも８．０ｍｍの沿面距離、２．５ｍｍの空間距離、および５０００ボルトの絶縁破壊電圧が提供される。別の実施態様において、アイソレータ２１０は、少なくとも２．５ｍｍの沿面距離および少なくとも２．０ｍｍの空間距離、例えば少なくとも４．０ｍｍの沿面距離および２．５ｍｍの空間距離を持つ。
【００３９】
アイソレータ２１０に接続されているのは、イーサネットインターフェース２１２であり、これによりアイソレータの信号をイーサネットプロトコル（上述のものなど）に変換する必要がある場合にはそれが提供される。例えば、アイソレータがシリアル信号を供給している場合、インターフェース２１２は、シリアル信号を変換または処理して、希望のイーサネット形式を生成する（逆もまた同様）、シリアル‐イーサネットコンバータとなりうる。インターフェース２１２に接続されているのは、イーサネット磁性体２１４であり、これにより、電気的絶縁、歪み除去およびＥＭＩ抑制が提供される。次に、信号は、イーサネットジャックまたはコネクタ２１６でイーサネット信号として供給され、サーバー１１１に配線される。
【００４０】
図５は、患者支持用の電子制御システム２０００の例証的な実施態様のブロック図である。この実施例において、マイクロプロセッサ２０２は、不揮発性ＲＯＭメモリ２０４上で揮発性ＲＡＭメモリ２０６を使用してオペレーティングシステム記憶装置を実行する。オペレーティングシステムは、患者支持用に特に設計されたものではない、例えば、Ｍｉｃｒｏｓｏｆｔから入手できるＷｉｎｄｏｗｓ（登録商標）オペレーティングシステムなど、汎用の市販オペレーティングシステムを備えうる。ＲＯＭメモリ２０４には、ブラウザソフトウェアも含みうる。オペレーティングシステムおよび／またはブラウザにより、リモートサーバーと通信する際、システム２０００がリモートサーバーに対するクライアントとして機能するようにしうる。Ｃｏｄｅｃデバイス２０１０は、マイクロプロセッサ２０２からのデジタルデータストリームを、スピーカー２０９Ｒおよび２０９Ｌを駆動するスピーカーアンプ２０７によって使用されるアナログ信号に変換する。したがって、音楽や警報などの音声は、プロセッサ２０２から供給しうる。さらに、Ｃｏｄｅｃデバイス２０１０は、マイクロホン２１１により生成（およびマイクロホンアンプ２０３により増幅）されたアナログ信号を、プロセッサ２０２によって使用するためにデジタル信号に変換する。
【００４１】
マイクロプロセッサ２０２は、患者支持アクチュエータ電子システムへのインターフェースを通じて患者支持機能を制御し、ユーザーインターフェースへのインターフェースを通じてグラフィカルユーザーインターフェース機能を実行し、１つ以上のネットワークインターフェースを通じてリモートネットワークと通信し、およびリムーバブル記憶装置を駆動する。この例証的な実施態様のこうした機能を可能とする各種の回路についての詳細は、以下の説明において記載する。
【００４２】
２つのＣＡＮインターフェース２２０および２２２（例えば、トランシーバ）が、この例証的な実施態様では提供されており、またこれらは、患者支持アクチュエータ制御電子システムへの接続性を提供する。これらのトランシーバ２２０、２２２は、マイクロプロセッサからＣＡＮネットワーク、またはその他のデバイスネットワークへのコマンドを供給し、次にこれが患者支持を移動させ、療法を提供し、保護し、および／または検知できるアクチュエータ（例えば、ポンプ、モーター、リニアアクチュエータ、ブロワー、センサーなど）を制御する。こうしたアクチュエータの一部の例は、図１〜４の実施例に関連して説明しているが、その他数多くが可能である。
【００４３】
ディスプレイドライバ回路２３０、２３１、２３２、および２３３が提供されており、タッチスクリーン、ＬＣＤおよびその他のディスプレイなどのグラフィカルユーザーインターフェースを駆動する。この実施例において、ＬＶＤＳ回路２３０およびＩ２Ｃバッファ２３１は、第一のＧＵＩ、およびＬＶＤＳ回路２３２を駆動し、およびＩ２Ｃバッファ２３３は第二のＧＵＩを駆動する。
【００４４】
ネットワークインターフェース回路も提供されている。インターフェース回路は、リモートネットワークコンピュータ（患者の部屋から遠隔）とのインターフェースをとる。この実施例において、ネットワークインターフェースは、プロセッサ２０２からのシリアル信号をイーサネット信号に変換するシリアル‐イーサネットコンバータ２４０を備える。例えば、コンバータ２４０は、イーサネットインターフェースボードまたはチップを備えうる。別の実施例において、プロセッサ２０２は、内蔵型イーサネット通信機能を持つプロセッサを備える。コンバータ２４０の出力は、イーサネット磁性体２４２に供給され、これが次にイーサネット信号をジャックまたはコネクタ２４４に供給する。この実施例において、コネクタ２４４はＲＪ４５イーサネットジャックである。次に、イーサネットケーブルは、ネットワークからコネクタ２４４へと接続でき、患者支持電子システム２０００との通信が可能となる。
【００４５】
電気的アイソレータ２４６は、電子システム２０００のネットワークからの電気的絶縁を提供する。この実施例において、アイソレータ２４６は、デジタル信号について動作し、よってデジタルアイソレータである。アイソレータ２４６は、デジタル信号を高速で変換できるマイクロ変圧器を使用することにより、誘導によってこうした絶縁を提供する。アイソレータ２１０は、少なくとも４ｍｍの沿面距離および２．４ｍｍの空間距離を持ち、また一実施態様において少なくとも最大２４０ボルトＡＣを絶縁しうる。別の実施態様において、アイソレータ２１０は、２．０ｍｍよりも大きい沿面距離および２．０ｍｍよりも大きい空間距離を持つ。別の実施態様において、アイソレータ２１０は、少なくとも２．５ｍｍの沿面距離および少なくとも２．５ｍｍの空間距離を持つ。さらに別の実施態様において、アイソレータ２１０は、イーサネット磁性体２４２のそれよりも大きな沿面距離および空間距離を持つ。
【００４６】
患者支持が位置する部屋の識別子も、プロセッサ２０２に配線２４８を介して供給される。これらの配線はアイソレータ２４６によって絶縁されている。部屋の識別情報は、ネットワーク接続時に壁ユニットからもたらされ、ネットワーク信号をコネクタ２４４に運ぶものと同一のケーブルで運ばれることもある。別の方法として、部屋のＩＤは、異なる通信経路によって供給されることもある。こうして、プロセッサ２０２が、部屋の識別子を、コネクタ２４４を介してネットワークに戻すこともある。信号は、ネットワーク通信パケットで、または別個の専用回線（転送ライン２４８ＴＸなど）を介して供給されることもある。
【００４７】
２５０に示すとおり、ＵＳＢコネクタ（例えば、アウトレット、ポート、またはジャック）がこの実施例では提供されている。ＵＳＢコネクタ２５０により、データがプロセッサ２０２によって携帯用のリムーバブルカードまたはメモリ素子またはスティックに格納でき、またプロセッサ２０２によって使用するためにカードまたはデバイスまたはスティックからプロセッサ２０２へ転送することもできるようになる。こうしたデータには、患者データ、患者支持データ、マルチメディアデータ、音声データ、画像データ、電子メールデータ、文書データ、または介護者、病院、または患者にとって有用なその他のデータや情報が含まれうる。ＵＳＢコネクタ２５０は、メモリ２０４内のプログラムおよびオペレーティングシステムのアップグレードまたは修正に使用できる。コネクタ２５０は、患者支持をポンプ、ベンチレータ、またはモニターなどのその他の医療用装置に、または電話、カメラ、ＰＤＡ、パーソナルコンピュータ、ＭＰ３プレーヤー、電子ブック装置、およびこれに類するものなど、その他の家電装置に接続するためにも使用できる。
【００４８】
回路２０００への電源は、必要に応じて各種の電源レベルを供給しうる電源コンバータ２１００により供給しうる。この電源は、電力出力２１１０を介してなど、その他の装置に伝達されうる。
【００４９】
当然ながら、本書の発明の原理をなおも利用したその他数多くの実施態様が可能である。例えば、図５の実施例では複数のクロック配線が提供されているが、その一方でクロック信号は、データと共に統合されたデータ／クロック配線を介して供給される。
【００５０】
図６は、本開示の１つ以上の原理に従った患者支持の電子システムとリモートサーバーとの間の通信の例証的な方法の流れ図である。この方法に従い、患者支持は、演算３００に示すとおり電源供給される。次に、汎用オペレーティングシステムおよびクライアントブラウザプログラムおよびベッド制御プログラムが、演算３０２に示すとおり、患者支持上のメモリに読み込まれる。患者支持の使用者が、演算３０４に示すとおり、ＵＲＬを入力するか、そうでなければリンクまたはアイコンをクリックするなどして希望するサービスを示す。この目的で、タッチスクリーンまたは適切なその他のディスプレイおよび入力装置を使用しうる。要求がネットワークインターフェースを介してリモートサーバーに送信され、希望のリモートアプリケーションが起動されるか、またはブロック３０６に示すとおり、希望のリモートページにアクセスされる。
【００５１】
ブロック３０８において、データは、リモートサーバーから患者支持および患者支持上のブラウザソフトウェアに転送され、サーバーからのデータによる命令どおりに画面に表示される。使用者は、演算３１０に示すとおり、データを入力するか、または患者支持上に表示された画面上にあるアイコンまたは場所を選択する。選択内容を表すデータが、演算３１２に示すとおり、患者支持からサーバーにネットワークインターフェースを介して、再び転送される。ネットワークインターフェースには、アイソレータ２４６、磁性体２４２、コネクタ２４４、コンバータ２４０、および／またはＳｐｉ‐ＷｉＦｉブリッジ２４９、または適切なその他のインターフェースなどの上述した１つ以上のインターフェースが含まれうる。
【００５２】
ブロック３１４に示すとおり、サーバーは選択したアプリケーションについてサーバー上のコード／プログラムにより、使用者のデータ選択に応答する。入力が、ブロック３１６に示すとおり患者支持で再び使用者により供給される。こうした入力は、上昇または下降あるいは傾斜または膨張もしくは療法の提供をする患者支持装置へのコマンドでもよく、またボタンまたはタッチスクリーンにより供給することもできる。演算３１８に示すとおり、ベッド制御プログラムがこの入力に応答し、適切なアクチュエータを制御して希望する患者支持機能を達成する。患者支持が作動している任意の時点で、リモートサーバーからのリモートアプリケーションの動作に関する追加的なコマンド、および患者支持の制御のための追加的なコマンドが提供されるように、プロセスが反復される。
【００５３】
図７は、本開示の１つ以上の原理に従い構成されたサーバーおよびクライアントの患者支持装置を備えた病院ネットワークの一実施態様の概要図である。この実施態様において、クライアントソフトウェアブラウザ４０４を備えた患者支持が、サーバーのある病院ネットワーク４００を介して接続されている。４２２に示すとおり、ネットワーク４００はさらにモニターまたはポンプなどの各種のサードパーティ医療用装置、および一般計算アプリケーションなどのサードパーティアプリケーションに接続されている。さらに、ネットワーク４００は、４２０に示すとおり、どの患者がどの部屋にいるかなど、患者および／または介護者の作業および病院内の場所を追跡するソフトウェアに接続されている。こうしたソフトウェアは、入院・退院・移動（ＡＤＴ）ソフトウェアを備えうる。その上、４１８に示すとおり、介護者にとって、携帯可能なメッセージングまたは警報装置４１８が提供されることにもなり、これはサーバーとも通信する。こうした装置には、バッジ、ポケットベル、電話、またはその他の通信装置が含まれうる。
【００５４】
ナースコールシステム４１６も、ネットワーク４００と接続しうる。さらに、患者の生命徴候データなどの患者の監視に関するデータを、ネットワーク４００に患者支持４０４を介してまたは直接的に伝達できる。その上、資産管理ソフトウェア４１２は、病院設備の追跡に使用でき、またネットワーク４００に接続された１つ以上のコンピュータまたはサーバーで実行できる。また、サポートや診断に関する通信を、ネットワーク４００を介して配信できる。したがって、多くの個別のソフトウェアおよびハードウェアがネットワーク４００を通じて通信できる。ネットワーク４００は、インターネットおよび／またはイーサネットプロトコルを利用して、こうした通信を提供しうる。
【００５５】
図８は、本開示の１つ以上の原理に従い構成された患者支持の電子システムのまた別の実施態様のブロック図である。この実施態様は、図５の実施態様と類似している。したがって、図５に関する上記の説明の多くが、図８の実施態様について適用されるため、明らかな違い以外は、ここでは繰り返さない。特に、ディスプレイドライバ２３０および２３２には、クロック配線が含まれていないが、これは、この実施態様においてクロック信号がデータ回線（ＤＯ+およびＤＯ-）を介して供給されているためである。また、この実施態様において、回路を外部のタッチスクリーンと接続できるようにするために、タッチスクリーンコントローラインターフェース４５０が提供されている（例えば、病院用ベッドにグラフィカル表示が含まれていない場合に、後付のタッチスクリーンを提供して、インターフェース４５０によって回路とのインターフェースをとることができる）。
【００５６】
別の違いとしては、この実施例において、コネクタ２４４からイーサネット磁性体２４２を通過してプロセッサ２０２に入ってくるイーサネット信号を電気的に絶縁する（逆も同様）イーサネットアイソレータチップ４５２が提供されている。こうしたチップは、Ｈａｌｏ Ｅｌｅｃｔｒｏｎｉｃｓ、ＣｏｉｌＣｒａｆｔ Ｉｎｃ、その他から入手できるものなどの１０/１００/および／または１０００ＭＢｉｔの絶縁モジュールを備えることができ、また例えばＩＥＣ６０６０１-１仕様に従い絶縁を提供できる。この実施態様において、ＵＳＢコネクタ４６０は、介護者および／または患者が使用するために提供されている。ＵＳＢ絶縁チップ４５４が提供されており、患者／介護者がアクセスするＵＳＢ信号の電気的絶縁をする。ここで、アイソレータ４５２および４５４により提供される絶縁は、少なくとも２．５ｍｍの沿面距離および少なくとも２．０ｍｍの空間距離、例えば少なくとも４．６ｍｍの沿面距離および２．５ｍｍの空間距離を提供する。ＵＳＢハブ４６６を経由してプロセッサ２０２を往来するＵＳＢ信号が提供されている。この実施例において、ハブ４６６はコネクタ４６０で信号を供給するアイソレータ４５４と通信する。ただし、追加的な非絶縁のＵＳＢコネクタ４６２および４６４も提供されており、保守技術者、およびエンドユーザーを除くその他の人員によるプロセッサ２０２へのＵＳＢアクセスが許容されている。追加的な通信ポート（ＵＳＢポート４７０およびＲＳ２３２ポート４７２）が、プログラミング、更新、点検およびこれに類する作業用に提供されている。
【００５７】
本開示のさまざまな実施態様および原理についての上記の説明は、例証および説明の目的で提示したものである。これは網羅的であることも、開示内容を開示した正確な形態に限定することも意図していない。数多くの変更、修正および変形が当業者にとって明白となりうる。その上、発明の複数の態様や原理について提示してきたが、上記の各種の実施態様に鑑みれば、これらを組み合わせて利用する必要はなく、また発明の態様や原理のさまざまな組み合わせが可能である。したがって、上記の説明は、本書で開示または推奨した考えられるすべての変更、修正、態様、組み合わせ、原理、および変形、ならびに請求項により定められた発明の原理、精神および広範な請求範囲に該当するその他すべてを包括することが意図されている。
【図１】
0005917821.tif 000002
【図２】
0005917821.tif 000003
【図３】
0005917821.tif 000004
【図４】
0005917821.tif 000005
【図５】
0005917821.tif 000006
【図６】
0005917821.tif 000007
【図７】
0005917821.tif 000008
【図８】
0005917821.tif 000009